(57)【特許請求の範囲】
【請求項１】
筐体の内部に配置された熱交換器と、前記熱交換器により熱交換された温風を前記筐体の外部へ送出する送風ファンとを含むファンコンベクタであって、
前記筐体は、
前面部と、
前記前面部の上方側に配置された上面部と、
前記前面部の側方側に配置された側面部とを含み、
前記筐体は、前記前面部に設けられた前面給気口と、前記上面部に設けられた上面給気口および前記側面部に設けられた側面給気口の少なくともいずれかとを有し、
前記筐体の内部に配置されたフィルタをさらに備え、
前記筐体は、
前記フィルタと、前記熱交換器と、前記送風ファンとを収容する筐体本体部と、
前記筐体本体部の前方に配置され、かつ前記前面給気口を有する筐体前面部とを含み、
前記フィルタは、空間を介して前記筐体前面部と向かい合うように配置されており、
前記前面給気口と、前記上面給気口および前記側面給気口の少なくともいずれかとは、前記フィルタと前記筐体前面部との間の前記空間に通じており、
前記筐体本体部は、前記側方に向かって前記筐体前面部との距離が大きくなるように傾斜したテーパ部を側部に有しており、
前記テーパ部は前記側面給気口から前記筐体の内部に向かって開口面積が小さくなるように構成されている、ファンコンベクタ。
【請求項２】
前記上面給気口および前記側面給気口の少なくともいずれかは、前記フィルタの前端位置よりも前方側に配置された部分を有している、請求項１に記載のファンコンベクタ。
【請求項３】
前記筐体前面部は、前記前面給気口の下端に接続され、かつ前記筐体本体部に向かって延在する前面接続部を有し、
前記筐体本体部は、前記前面接続部に接続された本体接続部を有し、前記前面接続部の上面と前記本体接続部の上面とが面一となっている、請求項１または２に記載のファンコンベクタ。
【請求項４】
前記筐体は、前記上面給気口と前記側面給気口との双方を有し、
前記上面給気口と、前記側面給気口とは、前記前面部から同じ距離に配置された部分を有している、請求項１〜３のいずれか１項に記載のファンコンベクタ。
【請求項５】
前記筐体は、前記前面部に対向する背面部を含み、
前記筐体は、前記前面部側から前記背面部側に向かって延在する羽板を含み、
前記羽板は、前記前面給気口から前記背面部側に向かって厚みを維持しながら延在している、請求項１〜４のいずれか１項に記載のファンコンベクタ。
【請求項６】
前記筐体は、前記前面部に対向する背面部を含み、
前記筐体は、前記前面部側から前記背面部側に向かって延在する羽板を含み、
前記羽板は、前記前面給気口から前記背面部側に向かって上下方向の厚みが厚くなるテーパ形状を有している、請求項１〜４のいずれか１項に記載のファンコンベクタ。
【発明の詳細な説明】
【技術分野】
【０００１】
本発明は、ファンコンベクタに関するものである。
【背景技術】
【０００２】
ファンコンベクタは、たとえば、特開２００７−３３００３号公報（特許文献１）に記載されているように、筐体と、筐体の内部に配置された熱交換器と、熱交換器により熱交換された温風を筐体の外部へ送出する送風ファンとを有している。
【先行技術文献】
【特許文献】
【０００３】
【特許文献１】特開２００７−３３００３号公報
【発明の概要】
【発明が解決しようとする課題】
【０００４】
上記公報に記載されたファンコンベクタにおいては、ファンコンベクタが設置された室内の空気を吸い込むための吸込口が筐体の上部に設けられており、温風を吹出すための吹出口が筐体の前面に設けられている。したがって、ファンコンベクタが設置された室内の空気は、筐体の上面の吸込口から入り、筐体の前面の吹出口から出る。したがって、ファンコンベクタが設置された室内の空気の流れは一方向となる。このため、ファンコンベクタが設置された室内の空気は十分に撹拌され難いという問題がある。よって、ファンコンベクタが設置された室内の温度分布を均一化することは困難である。
【０００５】
本発明は、上記課題に鑑みてなされたものであり、その目的は、ファンコンベクタが設置された室内の空気を十分に撹拌することができるファンコンベクタを提供することである。
【課題を解決するための手段】
【０００６】
本発明のファンコンベクタは、筐体の内部に配置された熱交換器と、熱交換器により熱交換された温風を筐体の外部へ送出する送風ファンとを含むものである。筐体は、前面部と、前面部の上方側に配置された上面部と、前面部の側方側に配置された側面部とを含んでいる。筐体は、前面部に設けられた前面給気口と、上面部に設けられた上面給気口および側面部に設けられた側面給気口の少なくともいずれかとを有する。
【０００７】
本発明のファンコンベクタによれば、筐体は、前面部に設けられた前面給気口と、上面部に設けられた上面給気口および側面部に設けられた側面給気口の少なくともいずれかとを有する。このため、前面給気口と、上面給気口および側面給気口の少なくともいずれかとからファンコンベクタが設置された室内の空気が筐体に送り込まれる。したがって、ファンコンベクタが設置された室内の空気の流れは複数方向となる。これにより、ファンコンベクタが設置された室内の空気を十分に撹拌することができる。よって、ファンコンベクタが設置された室内の温度分布を均一化することは容易である。
【０００８】
上記のファンコンベクタは、筐体の内部に配置されたフィルタをさらに備えている。筐体は、筐体本体部と筐体前面部とを含んでいる。筐体本体部は、フィルタと、熱交換器と、送風ファンとを収容する。筐体前面部は、筐体本体部の前方に配置され、かつ前面給気口を有している。フィルタは、空間を介して筐体前面部と向かい合うように配置されている。前面給気口と、上面給気口および側面給気口の少なくともいずれかとは、フィルタと筐体前面部との間の空間に通じている。このため、ファンコンベクタが設置された室内の空気は、フィルタと筐体前面部との間の空間からフィルタを通って筐体の内部に送り込まれる。これにより、前面給気口と、上面給気口および側面給気口の少なくともいずれかとは、フィルタを共有化することができる。よって、ファンコンベクタのコストを低減することができる。また、ファンコンベクタの構造を簡易にすることができる。
【０００９】
上記のファンコンベクタにおいて、上面給気口および側面給気口の少なくともいずれかは、フィルタの前端位置よりも前方側に配置された部分を有している。このため、前面給気口と、上面給気口および側面給気口の少なくともいずれかとからフィルタの前方側にファンコンベクタが設置された室内の空気が送り込まれる。これにより、フィルタによって空気中のゴミ、塵埃などが取り除かれた空気を筐体の内部に送り込むことができる。
【００１０】
また、前面給気口と、上面給気口および側面給気口の少なくともいずれかとから送り込まれた空気をフィルタの前方で合流させることができる。前面給気口と、上面給気口および側面給気口の少なくともいずれかとから筐体内に送り込まれた空気が合流するまでの距離が短いため、空気をスムーズに合流させることができる。これにより、空気を前面給気口、上面給気口および側面給気口の少なくともいずれかから筐体に送り込むことが容易である。よって、ファンコンベクタが設置された室内の空気の流れをよりスムーズにすることができる。
【００１１】
上記のファンコンベクタにおいて、筐体前面部は、前面給気口の下端に接続され、かつ筐体本体部に向かって延在する前面接続部を有している。筐体本体部は、前面接続部に接続された本体接続部を有し、前面接続部の上面と本体接続部の上面とが面一となっている。このため、前面給気口の下端から前面接続部および本体接続部の上の塵埃などを掃除機で吸い込むことが容易である。
【００１２】
上記のファンコンベクタにおいて、筐体本体部は、側方に向かって筐体前面部との距離が大きくなるように傾斜したテーパ部を側部に有している。このため、側面給気口の開口面積を大きくすることができる。これにより、空気を側面給気口から筐体の内部に送り込むことが容易である。よって、ファンコンベクタが設置された室内の空気の流れをよりスムーズにすることができる。
【００１３】
上記のファンコンベクタにおいて、筐体は、上面給気口と側面給気口との双方を有している。上面給気口と、側面給気口とは、前面部から同じ距離に配置された部分を有している。このため、上面給気口および側面給気口から送り込まれた空気をスムーズに合流させることができる。これにより、空気を上面給気口および側面給気口から筐体に送り込むことが容易である。よって、ファンコンベクタが設置された室内の空気の流れをよりスムーズにすることができる。
【００１４】
上記のファンコンベクタにおいて、筐体は、前面部に対向する背面部を含んでいる。筐体は、前面部側から背面部側に向かって延在する羽板を含んでいる。羽板は、前面給気口から背面部側に向かって厚みを維持しながら延在している。このため、羽板は、厚みを維持しながら延在していない場合に比べて、水平方向において室内空気に触れる距離が短くなる。これにより、筐体に空気が送り込まれるときの空気と羽板との接触抵抗を低減することができる。
【００１５】
上記のファンコンベクタにおいて、筐体は、前面部に対向する背面部を含んでいる。筐体は、前面部側から背面部側に向かって延在する羽板を含んでいる。羽板は、前面給気口から背面部側に向かって上下方向の厚みが厚くなるテーパ形状を有している。このため、羽板の開口面積を大きくすることができる。これにより、空気を前面給気口から筐体に送り込むことが容易である。よって、ファンコンベクタが設置された室内の空気の流れをよりスムーズにすることができる。
【発明の効果】
【００１６】
以上説明したように、本発明によれば、ファンコンベクタが設置された室内の空気を十分に撹拌することができるファンコンベクタを提供することができる。
【図面の簡単な説明】
【００１７】
【図１】本発明の一実施の形態におけるファンコンベクタの構成を概略的に示す斜視図である。
【図２】図１に示すファンコンベクタの分解斜視図である。
【図３】図１のＩＩＩ−ＩＩＩ線に沿う断面図である。
【図４】図１のＩＶ−ＩＶ線に沿う断面図である。
【図５】本発明の一実施の形態におけるファンコンベクタの構成を概略的に示す側面図である。
【図６】図４のＰ部を拡大して示す拡大図である。
【図７】本発明の一実施の形態におけるファンコンベクタの変形例の図６に対応する部分の構成を示す拡大図である。
【図８】比較例のファンコンベクタの構成を概略的に示す斜視図である。
【図９】比較例のファンコンベクタが設置された室内の空気の流れを概略的に示す平面図である。
【図１０】比較例のファンコンベクタが設置された室内の空気の流れを概略的に示す側面図である。
【図１１】本発明の一実施の形態におけるファンコンベクタが設置された室内の空気の流れを概略的に示す平面図である。
【図１２】本発明の一実施の形態におけるファンコンベクタが設置された室内の空気の流れを概略的に示す側面図である。
【発明を実施するための形態】
【００１８】
以下、本発明の実施の形態について図に基づいて説明する。
まず、本発明の一実施の形態におけるファンコンベクタの構成について説明する。ファンコンベクタは温水を熱源とする暖房装置である。以下では各方向はファンコンベクタを床面に設置した状態を基準としている。なお、本実施の形態のファンコンベクタは、壁に固定されるものであってもよく、また壁に固定されずに移動可能なものであってもよい。
【００１９】
図１および図２を参照して、本実施の形態のファンコンベクタ１０は、筐体１と、熱交換器２と、送風ファン３と、モータ３ａと、制御部４と、温水配管５と、風向板６と、フィルタ７とを主に有している。なお、図２では、見やすくするためフィルタ７の枠のみが図示されている。筐体１の内部に熱交換器２と、送風ファン３と、モータ３ａと、制御部４と、温水配管５と、風向板６と、フィルタ７とが配置されている。筐体１は、筐体本体部１ａと、筐体本体部１ａの前方に配置された筐体前面部１ｂとを有している。
【００２０】
筐体１は、前面部１１と、上面部１２と、側面部１３と、背面部１４と、底面部１５とを有している。筐体本体部１ａは、上面部１２と、側面部１３と、背面部１４と、底面部１５とを構成している。筐体前面部１ｂは前面部１１を含んでいる。
【００２１】
前面部１１は筐体１の正面に配置されている。前面部１１に前面給気口１１ａが設けられている。つまり、筐体前面部１ｂは前面給気口１１ａを有している。前面給気口１１ａは前面部１１の上下方向の中央よりも下方に配置されている。前面給気口１１ａは前面部１１を前後方向に貫通している。前面給気口１１ａは前面部１１の左右方向の略全長に渡って設けられている。本実施の形態では、前面給気口１１ａはガラリ（ルーバ）の貫通孔である。また、前面部１１に吹出口１１ｂが設けられている。吹出口１１ｂは前面給気口１１ａの下方に配置されている。
【００２２】
上面部１２は、前面部１１の上方側に配置されている。上面部１２は、前面部１１の上端に接続されている。上面部１２に上面給気口１２ａが設けられている。上面給気口１２ａは上面部１２の前後方向の中央よりも前方に配置されている。上面給気口１２ａは前面部１１の近傍に配置されている。上面給気口１２ａは上面部１２を上下方向に貫通している。上面給気口１２ａは上面部１２の左右方向の略全長に渡って設けられている。
【００２３】
筐体本体部１ａは、上方に向かって筐体前面部１ｂとの距離が大きくなるテーパ部ＴＵを有している。テーパ部ＴＵは筐体１の内側から上面部１２に向かって筐体本体部１ａと筐体前面部１ｂとの距離が大きくなるように構成されている。つまり、上面給気口１２ａから筐体１の内部に向かって開口面積が小さくなっている。本実施の形態では、テーパ部ＴＵは、フィルタ７の枠および筐体本体部１ａの前面に設けられている。
【００２４】
図１および図３を参照して、側面部１３は、前面部１１の側方側に配置されている。側面部１３は互いに対向する第１の側面部１３ｆと第２の側面部１３ｓとを有している。第１の側面部１３ｆおよび第２の側面部１３ｓの各々は、前面部１１、上面部１２、背面部１４および底面部１５にそれぞれ接続されている。側面部１３に側面給気口１３ａが設けられている。側面給気口１３ａは、第１の側面部１３ｆおよび第２の側面部１３ｓにそれぞれ設けられている。側面給気口１３ａは、側面部１３の前後方向の中央よりも前方に配置されている。側面給気口１３ａは前面部１１の近傍に配置されている。側面給気口１３ａは、側面部１３を左右方向に貫通している。側面給気口１３ａは、側面部１３の上端近傍から前面給気口１１ａの下端に渡って設けられている。
【００２５】
筐体本体部１ａは、側方に向かって筐体前面部１ｂとの距離が大きくなるように傾斜したテーパ部ＴＳを側部に有している。テーパ部ＴＳは筐体１の内側から側面部１３に向かって筐体本体部１ａと筐体前面部１ｂとの距離が大きくなるように構成されている。つまり、側面給気口１３ａから筐体１の内部に向かって開口面積が小さくなっている。
【００２６】
背面部１４は筐体１の背面に配置されている。背面部１４は前面部１１に対向するように配置されている。底面部１５は前面部１１の下方側に配置されている。底面部１５は前面部１１の下端に接続されている。
【００２７】
本実施の形態では、筐体１は、前面給気口１１ａと、上面給気口１２ａと、側面給気口１３ａとを有している。しかしながら、筐体１は、前面給気口１１ａと、上面給気口１２ａおよび側面給気口１３ａの少なくともいずれかとを有していればよい。
【００２８】
また、本実施の形態では、側面給気口１３ａは第１の側面部１３ｆおよび第２の側面部１３ｓにそれぞれ設けられているが、側面給気口１３ａは第１の側面部１３ｆおよび第２の側面部１３ｓの少なくともいずれかに設けられていればよい。
【００２９】
図２および図４を参照して、筐体本体部１ａに、熱交換器２と、送風ファン３と、モータ３ａと、制御部４と、温水配管５と、風向板６と、フィルタ７とが収容されている。
【００３０】
熱交換器２は筐体１の内部に配置されている。熱交換器２は、熱交換器２の内部を循環する湯水と、熱交換器２の周囲の空気との間で熱交換を行うためのものである。熱交換器２は前面給気口１１ａと向かい合う部分を有している。熱交換器２は送風ファン３の前方に配置されている。
【００３１】
送風ファン３は、熱交換器２により熱交換された温風を筐体１の外部へ送出するよう構成されている。送風ファン３は、たとえばクロスフローファンである。送風ファン３にはモータ３ａが接続されている。送風ファン３はモータ３ａの駆動力によって回転することにより送風可能に構成されている。送風ファン３は、熱交換器２を挟んで前面給気口１１ａと向かい合うように配置されている。送風ファン３は吹出口１１ｂの上方に配置されている。
【００３２】
制御部４は、ファンコンベクタ１０を制御するマイコン（図示せず）を備えた制御基板を有しており、ファンコンベクタ１０の各部の動作を制御可能に構成されている。具体的には、制御部４は、ファンコンベクタ１０の温度センサ（サーミスタ）等からの信号を取得可能であり、ファンコンベクタ１０を流れる湯水の温度およびファンコンベクタ１０が設置されている室内の温度などを取得可能に構成されている。そして、制御部４は、取得した情報に基づいてファンコンベクタ１０の各部を制御可能に構成されている。
【００３３】
温水配管５は、筐体１の内部において熱交換器２に接続されている。温水配管５は温水を筐体１の外部から熱交換器２に循環させるように構成されている。温水配管５は図示しない熱源機に接続される。温水配管５は図示しない熱源機から供給された温水を熱交換器２に流し、熱交換器２で熱交換された温水を熱源機に流すように構成されている。具体的には、温水配管５は、第１の温水配管５ａと、第２の温水配管５ｂとを有している。第１の温水配管５ａは図示しない熱源機から供給された温水を熱交換器２に流すように構成されており、第２の温水配管５ｂは熱交換器２から温水を熱源機に流すように構成されている。
【００３４】
風向板６は吹出口１１ｂから吹出される風の向きを変えるためのものである。風向板６は送風ファン３と吹出口１１ｂとの間に配置されている。風向板６は吹出口１１ｂから露出している。
【００３５】
筐体１の内部にフィルタ７が配置されている。フィルタ７は、前面給気口１１ａなどから筐体１の内部に取り込まれた空気からゴミ、塵埃などを除去するためのものである。フィルタ７は、枠と、枠に支持された不織布およびメッシュ材などにより構成されている。フィルタ７は、空間Ｓを介して筐体前面部１ｂと向かい合うように配置されている。フィルタ７は熱交換器２の前方に配置されている。
【００３６】
図１および図５を参照して、本実施の形態では、前面給気口１１ａと、上面給気口１２ａと、側面給気口１３ａとは、フィルタ７と筐体前面部１ｂとの間の空間Ｓに通じている。しかしながら、前面給気口１１ａと、上面給気口１２ａおよび側面給気口１３ａの少なくともいずれかとが、フィルタ７と筐体前面部１ｂとの間の空間Ｓに通じていればよい。
【００３７】
図４および図５を参照して、本実施の形態では、上面給気口１２ａおよび側面給気口１３ａはそれぞれフィルタ７の前端位置ＰＦよりも前方側（図４中矢印Ｒ側）に配置された部分Ｐ１を有している。しかしながら、上面給気口１２ａおよび側面給気口１３ａの少なくともいずれかがフィルタ７の前端位置ＰＦよりも前方側に配置された部分Ｐ１を有していればよい。また、上面給気口１２ａと、側面給気口１３ａとは、前面部１１から同じ距離に配置された部分Ｐ２を有している。つまり、上面給気口１２ａの前面部１１から背面１４側への距離ｎ１と、側面給気口１３ａの前面部１１から背面１４側への距離ｎ２とは同じ距離である。
【００３８】
図６を参照して、筐体本体部１ａは、本体接続部１ａ１を有している。本体接続部１ａ１はフィルタ７の前方に配置されている。本体接続部１ａ１は上面を有している。本体接続部１ａ１の上面は平面状に形成されている。
【００３９】
筐体前面部１ｂは、前面接続部１ｂ１を有している。前面接続部１ｂ１は、前面給気口１１ａの下端に接続されている。ここで、前面給気口１１ａの下端とは、前面給気口１１ａの最も下側の端部であり、前面部１１の前面に位置する部分である。前面接続部１ｂ１は、筐体本体部１ａに向かって延在する。前面接続部１ｂ１は上面を有している。前面接続部１ｂ１の上面は平面状に形成されている。
【００４０】
本体接続部１ａ１は、前面接続部１ｂ１に接続されている。前面接続部１ｂ１の上面と本体接続部１ａ１の上面とが面一となっている。具体的には、本体接続部１ａ１の上面と前面接続部１ｂ１の上面とが同一平面を形成するように、本体接続部１ａ１は、前面接続部１ｂ１に接続されている。つまり、本体接続部１ａ１の上面と前面接続部１ｂ１の上面とが隙間なく接続されている。また、本体接続部１ａ１の上面と前面接続部１ｂ１の上面とが略同一の高さとなるように、本体接続部１ａ１は前面接続部１ｂ１に接続されている。
【００４１】
前面給気口１１ａの下端から本体接続部１ａ１および前面接続部１ｂ１の上の塵埃などを一緒に掃除機で吸い込むことができれば良いため、本体接続部１ａ１の上面と前面接続部１ｂ１の上面とが面一なっているとは、本体接続部１ａ１の上面の高さと前面接続部１ｂ１の上面の高さとの差が±０．５ｍｍ以内であればよい。
【００４２】
また、本体接続部１ａ１の上面の高さが前面接続部１ｂ１の上面の高さよりも高くてもよい。この場合、本体接続部１ａ１によって前面接続部１ｂ１の上の塵埃が筐体１の後方側に入り込むことが抑制される。したがって、前面給気口１１ａの下端から前面接続部１ｂ１の上の塵埃などを掃除機で吸い込むことができる。
【００４３】
また、本体接続部１ａ１の上面および前面接続部１ｂ１の上面が前面給気口１１ａ側に下がるように傾斜していてもよい。これにより、本体接続部１ａ１および前面接続部１ｂ１の上の塵埃などが前面給気口１１ａから排出され易くなる。
【００４４】
再び図１および図６を参照して、本実施の形態では、前面部１１にガラリが形成されている。筐体１は、前面部１１に前面給気口１１ａと複数の羽板１１ｃとで構成されたガラリを有している。つまり、筐体１は、羽板１１ｃを有している。羽板１１ｃは、前面部１１側から背面部１４側に向かって延在する。羽板１１ｃは、前面給気口１１ａから背面部１４側に向かって厚みを維持しながら延在している。
【００４５】
続いて、図７を参照して、本実施の形態の変形例について説明する。本実施の形態の変形例では、上記の本実施の形態と比べて、羽板１１ｃの構成が異なっている。羽板１１ｃは、前面給気口１１ａから背面部１４側に向かって上下方向の厚みが厚くなるテーパ形状１１ｃ１を有している。
【００４６】
また、本実施の形態の変形例では、羽板１１ｃの前方側の角部に丸みが付けられている。これにより、羽板１１ｃの前方側の角部をスムーズに空気が流れるため、前面給気口１１ａからの空気をスムーズに取り込むことができる。
【００４７】
また、前面給気口１１ａの下端の開口面積は、他の前面給気口１１ａの開口面積よりも大きくてもよい。これにより、本体接続部１ａ１および前面接続部１ｂ１の上の塵埃などを前面給気口１１ａから掃除機で吸込み易くなる。
【００４８】
次に、本実施の形態のファンコンベクタの動作について説明する。
再び図１および図４を参照して、本実施の形態のファンコンベクタ１０は設置された室内の温度を昇温および維持するための暖房運転を行うことができる。具体的には、図示しない熱源機から第１の温水配管５ａに温水が供給される。第１の温水配管５ａに供給された温水は第１の温水配管５ａを通って熱交換器２に流れる。なお、熱交換器２で熱交換された温水は第２の温水配管５ｂを通って図示しない熱源機に送られる。
【００４９】
モータ３ａの駆動力によって送風ファン３が回転する。これにより、図４中矢印Ａ１で示すように前面給気口１１ａから空気が筐体１の内部に吸い込まれる。また、図１に示す上面給気口１２ａおよび側面給気口１３ａからも空気が筐体１の内部に吸い込まれる。これらの筐体１の内部に吸い込まれた空気はフィルタ７を通って熱交換器２の周囲に流れる。そして、熱交換器２の内部を循環する湯水と、熱交換器２の周囲の空気との間で熱交換が行われる。これにより、熱交換器２の周囲の空気は温められる。この温められた空気が送風されることにより温風が生じる。
【００５０】
この温風は、送風ファン３を経由して図４中矢印Ａ２で示すように筐体１の内部の流路Ｆを通って吹出口１１ｂに送られる。そして、この温風は、図４中矢印Ａ３に示すように吹出口１１ｂから室内に吹出される。このようにして、本実施の形態のファンコンベクタ１０では、暖房運転が行われる。
【００５１】
次に、本実施の形態のファンコンベクタの作用効果について比較例と対比して説明する。特に説明しない限り比較例のファンコンベクタは本実施の形態のファンコンベクタと同様の構成を有している。
【００５２】
図８を参照して、比較例のファンコンベクタ１０は、本実施の形態のファンコンベクタ１０と比較して、上面給気口１２ａおよび側面給気口１３ａを有していない点で主に異なっている。また、前面給気口１１ａが前面部１１の上下方向に広い範囲で設けられている点でも異なっている。
【００５３】
図９および図１０を参照して、比較例のファンコンベクタ１０では、前面給気口１１ａおよび吹出口１１ｂが筐体１の前面部１１に設けられている。したがって、ファンコンベクタ１０が設置された室内２０の空気は、筐体１の前面部１１の前面給気口１１ａから筐体１の内部に入り、吹出口１１ｂから出る。したがって、ファンコンベクタ１０が設置された室内２０の空気の流れは、前面部１１の前方を循環するような一方向となる。このため、ファンコンベクタ１０が設置された室内２０の空気は十分に撹拌され難いという問題がある。よって、ファンコンベクタ１０が設置された室内の温度分布を均一化することは困難である。
【００５４】
これに対して、本実施の形態のファンコンベクタ１０によれば、図１に示すように、筐体１は、前面部１１に設けられた前面給気口１１ａと、上面部１２に設けられた上面給気口１２ａおよび側面部１３に設けられた側面給気口１３ａの少なくともいずれかとを有する。このため、前面給気口１１ａと、上面給気口１２ａおよび側面給気口１３ａの少なくともいずれかとからファンコンベクタ１０が設置された室内の空気が筐体に送り込まれる。したがって、図１１および図１２に示すように、ファンコンベクタ１０が設置された室内２０の空気の流れは複数方向となる。これにより、ファンコンベクタ１０が設置された室内２０の空気を十分に撹拌することができる。よって、ファンコンベクタ１０が設置された室内２０の温度分布を均一化することは容易である。
【００５５】
また、本実施の形態のファンコンベクタ１０では、前面給気口１１ａと、上面給気口１２ａおよび側面給気口１３ａの少なくともいずれかとから空気を吸い込むことができるため、前面給気口１１ａの開口面積を小さくしても給気量を低減させないようにすることができる。したがって、前面給気口１１ａの開口面積を小さくすることができる。このため、前面部１１のガラリを小さくすることができる。これにより、前面給気口１１ａの外観をすっきりした印象にすることができる。このため、ファンコンベクタ１０について、意匠上の美観を向上させることができる。
【００５６】
図５に示すように、本実施の形態のファンコンベクタ１０においては、前面給気口１１ａと、上面給気口１２ａおよび側面給気口１３ａの少なくともいずれかとは、フィルタ７と筐体前面部１ｂとの間の空間Ｓに通じている。このため、ファンコンベクタ１０が設置された室内の空気は、フィルタ７と筐体前面部１ｂとの間の空間Ｓからフィルタ７を通って筐体１の内部に送り込まれる。これにより、前面給気口１１ａと、上面給気口１２ａおよび側面給気口１３ａの少なくともいずれかとは、フィルタ７を共有化することができる。よって、ファンコンベクタ１０のコストを低減することができる。また、ファンコンベクタ１０の構造を簡易にすることができる。
【００５７】
本実施の形態のファンコンベクタ１０において、上面給気口１２ａおよび側面給気口１３ａの少なくともいずれかは、フィルタ７の前端位置ＰＦよりも前方側に配置された部分Ｐ１を有している。このため、前面給気口１１ａと、上面給気口１２ａおよび側面給気口１３ａの少なくともいずれかとからフィルタ７の前方側にファンコンベクタ１０が設置された室内の空気が送り込まれる。これにより、フィルタ７によって空気中のゴミ、塵埃などが取り除かれた空気を筐体１の内部に送り込むことができる。
【００５８】
また、前面給気口１１ａと、上面給気口１２ａおよび側面給気口１３ａの少なくともいずれかとから送り込まれた空気をフィルタ７の前方で合流させることができる。前面給気口１１ａと、上面給気口１２ａおよび側面給気口１３ａの少なくともいずれかとから筐体１内に送り込まれた空気が合流するまでの距離が短いため、空気をスムーズに合流させることができる。これにより、空気を前面給気口１１ａ、上面給気口１２ａおよび側面給気口１３ａの少なくともいずれかから筐体１に送り込むことが容易である。よって、ファンコンベクタ１０が設置された室内２０の空気の流れをよりスムーズにすることができる。
【００５９】
図６に示すように、本実施の形態のファンコンベクタ１０においては、前面給気口１１ａの下端に接続された前面接続部１ｂ１の上面と本体接続部１ａ１の上面とが面一になっている。したがって、前面給気口１１ａの下端から前面接続部１ｂ１および本体接続部１ａ１の上の塵埃などを掃除機で吸い込むことが容易である。
【００６０】
図３に示すように、本実施の形態のファンコンベクタ１０において、筐体本体部１ａは、側方に向かって筐体前面部１ｂとの距離が大きくなるように傾斜したテーパ部ＴＳを側部に有している。このため、側面給気口１３ａの開口面積を大きくすることができる。これにより、空気を側面給気口１３ａから筐体１の内部に送り込むことが容易である。よって、ファンコンベクタ１０が設置された室内の空気の流れをよりスムーズにすることができる。
【００６１】
図５に示すように、本実施の形態のファンコンベクタ１０において、上面給気口１２ａと、側面給気口１３ａとは、前面部１１から同じ距離に配置された部分Ｐ２を有している。このため、上面給気口１２ａおよび側面給気口１３ａから送り込まれた空気をスムーズに合流させることができる。これにより、空気を上面給気口１２ａおよび側面給気口１３ａから筐体１の内部に送り込むことが容易である。よって、ファンコンベクタ１０が設置された室内２０の空気の流れをよりスムーズにすることができる。
【００６２】
図６に示すように、本実施の形態のファンコンベクタ１０において、羽板１１ｃは、前面給気口１１ａから背面部１４側に向かって厚みを維持しながら延在している。このため、羽板１１ｃは、厚みを維持しながら延在していない場合に比べて、水平方向において空気に触れる距離が短くなる。これにより、筐体１に空気が送り込まれるときの空気と羽板１１ｃとの接触抵抗を低減することができる。
【００６３】
図７に示すように、本実施の形態のファンコンベクタ１０において、羽板１１ｃは、前面給気口１１ａから背面部１４側に向かって上下方向の厚みが厚くなるテーパ形状１１ｃ１を有している。このため、羽板１１ｃの開口面積を大きくすることができる。これにより、空気を前面給気口１１ａから筐体１に送り込むことが容易である。よって、ファンコンベクタ１０が設置された室内の空気の流れをよりスムーズにすることができる。
【００６４】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００６５】
１  筐体、１ａ  筐体本体部、１ａ１  本体接続部、１ｂ  筐体前面部、１ｂ１  前面接続部、２  熱交換器、３  送風ファン、３ａ  モータ、４  制御部、５  温水配管、５ａ  第１の温水配管、５ｂ  第２の温水配管、６  風向板、７  フィルタ、１０  ファンコンベクタ、１１  前面部、１１ａ  前面給気口、１１ｂ  吹出口、１１ｃ  羽板、１１ｃ１  テーパ形状、１２  上面部、１２ａ  上面給気口、１３  側面部、１３ａ  側面給気口、１３ｆ  第１の側面部、１３ｓ  第２の側面部、１４  背面部、１５  底面部、２０  室内、Ｆ  流路、Ｐ１  フィルタの前方に配置された部分、Ｐ２  前面部から同じ距離に配置された部分、ＰＦ  前端位置、Ｓ  空間、ＴＳ，ＴＵ  テーパ部。
【図１】
0006481340.tif 000002
【図２】
0006481340.tif 000003
【図３】
0006481340.tif 000004
【図４】
0006481340.tif 000005
【図５】
0006481340.tif 000006
【図６】
0006481340.tif 000007
【図７】
0006481340.tif 000008
【図８】
0006481340.tif 000009
【図９】
0006481340.tif 000010
【図１０】
0006481340.tif 000011
【図１１】
0006481340.tif 000012
【図１２】
0006481340.tif 000013